(57)【特許請求の範囲】
【請求項１】
外向きにハ字形に弾性変形可能な逆Ｕ字形のハンガー本体部と、
当該ハンガー本体部の相対する各ハンガー片の下端内面に軸受部を介して跳ね上げ可能に支持された一対の回動羽根と、
各回動羽根の先端に設けられた一対の捕捉ローラーと、
被吊下物の挿入動作により跳ね上げられた一対の回動羽根を、被吊下物の自重による下降動作の途中で、前記一対の捕捉ローラーが被吊下物の上端を両側から捕捉する捕捉位置に保持する下部ストッパーを具備する、
ことを特徴とするハンガー装置。
【請求項２】
各捕捉ローラーと回動羽根との間に、被吊下物の自重による加重下では各捕捉ローラーの回転を不能とし、被吊下物の自重を越える加重による被吊下物の強制引き下げ動作時に各捕捉ローラーの回転を許容する回転制動力を、各捕捉ローラーに付与する回転制動力付与手段をさらに具備する、ことを特徴とする請求項１記載のハンガー装置。
【請求項３】
外向きにハ字形に弾性変形可能な逆Ｕ字形のハンガー本体部と、
当該ハンガー本体部の相対する各ハンガー片の下端内面に軸受部を介して跳ね上げ可能に支持された一対の回動羽根と、
前記一対の回動羽根の先端に設けられた一対の捕捉部と、
被吊下物の挿入動作により跳ね上げられた一対の回動羽根を、被吊下物の自重による下降動作の途中で、前記一対の捕捉部が被吊下物の上端を両側から捕捉する捕捉位置に保持する下部ストッパーを具備する、
ことを特徴とするハンガー装置。
【請求項４】
外向きにハ字形に弾性変形可能な逆Ｕ字形のハンガー本体部と、
当該ハンガー本体部の相対する各ハンガー片の自由端内面に軸受部を介して跳ね上げ可能に支持された一対の回動羽根と、
前記一対の回動羽根の先端に設けられた一対の捕捉部と、
被吊下物の挿入動作により跳ね上げられた一対の回動羽根を、被吊下物の自重による下降動作の途中で、前記一対の捕捉部が被吊下物の上端を両側から捕捉する捕捉位置に保持する下部ストッパーと、
被吊下物の捕捉姿勢から、いずれか一方の回動羽根を跳ね上げ操作し、被吊下物の捕捉姿勢を解除する解除操作手段を具備する、
ことを特徴とするハンガー装置。
【発明の詳細な説明】
【技術分野】
【０００１】
本発明は、衣服等の被吊下物、特にスラックス等のズボンを楽に着脱可能としたハンガー装置に関するものである。
【背景技術】
【０００２】
スラックス等の折り目正しいズボンをハンガーに掛けるときは、皺が寄らないように気を使いながらズボンをハンガーに半折状態に掛けるようにしている。しかしながら、ジャケット等の上着と異なり、ズボンをハンガーに掛ける作業は煩わしいものである。皺が寄らないようにズボンをハンガーに掛けた積りでも、後で取り外すとズボンに皺が寄っていたり、半折状態に掛けたズボンがその重みでハンガーから落下することもあり、その結果、上に述べたようにズボンをハンガーに掛ける作業は煩わしい。ズボンに皺が寄ると、ズボンの折り目に再びアイロンを当てなければならず、時間と労力のロスにつながる。
【０００３】
ズボンをハンガーに確実に掛けるようにした提案が従来より種々なされている。例えば、特開２０００−５０３０号公報（特許文献１）には、左右一対のクリップでズボンやスカートを吊下げられるようにしたハンガーが提案され、また、特開２００８−１９４１５５号公報（特許文献２）には、外側からノブを押し込み操作することでズボン類の裾をクランプ爪でクランプできるようにしたハンガーが提案されている。
【０００４】
【特許文献１】特開２０００−５０３０号公報
【特許文献２】特開２００８−１９４１５５号公報
【発明の概要】
【発明が解決しようとする課題】
【０００５】
しかしながら、上記提案のハンガーは、ズボンを吊下げる際や吊下げたズボンを外す際のいずれの場合であっても、クリップやノブを操作しなければならず、ズボンを吊下げたり外したりする場合の操作が非常に面倒である。
【０００６】
本発明は、上記事情に鑑みてなされたもので、ズボン等の被吊下物の挿入動作および被吊下物の引下げ動作という単純な動作により、被吊下物をハンガーに楽に着脱可能とするハンガー装置を提供することを目的とする。
【課題を解決するための手段】
【０００７】
上記課題を解決するために、本発明に係るハンガー装置は、
外向きにハ字形に弾性変形可能な逆Ｕ字形のハンガー本体部と、
当該ハンガー本体部の相対する各ハンガー片の下端内面に軸受部を介して跳ね上げ可能に支持した一対の回動羽根と、
各回動羽根の先端に設けた一対の捕捉ローラーと、
被吊下物の挿入動作により跳ね上げられた一対の回動羽根を、被吊下物の自重による下降動作の途中で、前記一対の捕捉ローラーが被吊下物の上端を両側から捕捉する捕捉位置に保持する下部ストッパーを具備する、
ことを第１の特徴とする。
【０００８】
本発明に係るハンガー装置によると、逆Ｕ字形のハンガー本体部に対し、被吊下物、例えばズボンの上端、例えばズボンの裾を両手で揃えて、ハンガー本体部のハンガー片どうしの隙間から上に挿入し、ズボンの上端をハンガー本体部内に位置させる。このとき、ハンガー片の下端内側の一対の回動羽根がズボンの上端の挿入動作に伴い下から上へ跳ね上げられるので、ズボンの上端をスムーズにハンガー本体部内に挿入することができる。
【０００９】
そして、手を離しズボンを自重により下降させると、跳ね上げられた一対の回動羽根が下降するズボンに合わせて下向きに回動し、ズボンの下降動作の途中で、一対の回動羽根が水平姿勢になる手前の斜め上向きの状態で、先端の捕捉ローラーがズボンの上端を両側から挟み込むように捕捉する。捕捉するメカニズムを詳述すると、回動羽根は下部ストッパーによりズボンの捕捉位置に停止し、ズボンの自重により、斜め上向き姿勢の回動羽根にはハンガー本体部のハンガー片を開く方向に付勢力が作用し、その反作用で、回動羽根の先端、すなわち、両側の捕捉ローラーには、ズボンを押し上げる垂直方向分力と、ズボンを両側から押し付ける水平方向分力が働き、これらの分力の働きにより、ズボンが両側の捕捉ローラーにより捕捉され、ズボンがハンガー本体部内に確実に吊下げられる。
【００１０】
次に、回動羽根および捕捉ローラーによる捕捉状態に抗して、ハンガー本体部内に吊下げられたズボンを両手でズボンの自重を超える加重により強制的に引下げ動作すると、回動羽根に下向きの力が作用するとともに、下部ストッパーを介して各ハンガー片をさらに外向きに弾性変形させて捕捉ローラーがズボンの上端を捕捉する力が弱まり、また、ズボンの自重を超える加重により各捕捉ローラーを回転させて、ズボンの上端を下方にスムーズに抜き出しできる。
【００１１】
このように、ズボンの挿入動作という単純動作だけでズボンをハンガー本体部内に装着して吊下げることができ、また、ズボンの強制引下げ動作という単純動作だけでズボンをハンガー本体部内からスムーズに抜き出しすることができる。したがって、ハンガーに手指を触れることなく、ズボンを楽々とハンガーに掛けあるいはハンガーから外すことができる。
【００１２】
各捕捉ローラーと回動羽根との間に、被吊下物の自重による加重下では各捕捉ローラーの回転を不能とし、被吊下物の自重を越える加重による被吊下物の強制引き下げ動作時に各捕捉ローラーの回転を許容する回転制動力を、各捕捉ローラーに付与する回転制動力付与手段をさらに具備する、ことを第２の特徴とする。
【００１３】
各捕捉ローラーに所要の回転制動力を付与することにより、被吊下物の自重による加重下で各捕捉ローラーが回転して跳ね上がり、被吊下物に対する捕捉不良が生じることを確実に防ぐことができる。
【００１４】
本発明に係るハンガー装置は、
外向きにハ字形に弾性変形可能な逆Ｕ字形のハンガー本体部と、
当該ハンガー本体部の相対する各ハンガー片の下端内面に軸受部を介して跳ね上げ可能に支持した一対の回動羽根と、
前記一対の回動羽根の先端に設けた一対の捕捉部と、
被吊下物の挿入動作により跳ね上げられた一対の回動羽根を、被吊下物の自重による下降動作の途中で、前記一対の捕捉部が被吊下物の上端を両側から捕捉する捕捉位置に保持する下部ストッパーを具備する、
ことを第３の特徴とする。
【００１５】
本発明に係るハンガー装置によると、上に述べたように、ハンガー本体部に対し、被吊下物、例えばズボンの上端を両手で揃えて、ハンガー片どうしの隙間から上に挿入し、ズボンの上端をハンガー本体部内に位置させ、そして、後は手を離しズボンの自重によりズボンを下降させると、一対の回動羽根が下降するズボンに合わせて下向きに回動し、先端の捕捉部が、ズボンの上端を両側から挟み込んで捕捉する。
【００１６】
また、ハンガー本体部内に吊下げられたズボンを両手で強制的に引下げ動作すると、回動羽根に下向きの力が作用するとともに、下部ストッパーを介して各ハンガー片が外向きに弾性変形して回動羽根および捕捉部による捕捉状態が緩和され、これによりズボンの上端を下に抜き出しすることができる。
【００１７】
このように、ズボンの挿入動作という単純動作だけでズボンをハンガー本体部内に装着して吊下げることができ、また、ズボンの強制引下げ動作という単純動作だけでズボンをハンガー本体部内からスムーズに抜き出しすることができる。したがって、ハンガーに手指を触れることなく、ズボンを楽々とハンガーに掛けあるいはハンガーから外すことができる。
【００１８】
本発明に係るハンガー装置は、
外向きにハ字形に弾性変形可能な逆Ｕ字形のハンガー本体部と、
当該ハンガー本体部の相対する各ハンガー片の下端内面に軸受部を介して跳ね上げ可能に支持した一対の回動羽根と、
前記一対の回動羽根の先端に設けた一対の捕捉部と、
被吊下物の挿入動作により跳ね上げられた一対の回動羽根を、被吊下物の自重による下降動作の途中で、前記一対の捕捉部が被吊下物の上端を両側から捕捉する捕捉位置に保持する下部ストッパーと、
被吊下物の捕捉姿勢から、いずれか一方の回動羽根を跳ね上げ操作し、被吊下物の捕捉姿勢を解除する解除操作手段を具備する、
ことを第４の特徴とする。
【００１９】
本発明に係るハンガー装置によると、被吊下物、例えばズボンを手で把持しながら、解除操作手段の操作により、ハンガー本体部内に吊下げられたズボンの捕捉状態をワンタッチで解除し、ズボンを自重によりあるいは手で引き下げてハンガー本体部から容易に取り外すことができる。
【発明の効果】
【００２０】
以上説明したように、本発明に係るハンガー装置によると、被吊下物、例えばズボンの挿入動作という単純動作だけで被吊下物をハンガー本体部内に装着して吊下げることができ、また、例えばズボンの強制引下げ動作という単純動作だけで被吊下物をハンガー本体部内からスムーズに抜き出しすることができる。これによって、ズボン等の被吊下物を楽々とハンガーに掛けあるいはハンガーから外すことができるという優れた効果を奏する。
【発明を実施するための最良の形態】
【００２１】
本発明を実施するための最良の形態を、図面を参照しながら説明する。図１ないし図４は本発明に係るハンガー装置の第１実施形態を示すもので、これらの図において符号Ｓ１はズボン吊りハンガー装置を示している。
【００２２】
図１および図２において、ズボン吊りハンガー装置Ｓ１は、プラスチック製、金属製あるいは木製等からなる逆Ｕ字形のハンガー本体部１００を備えている。
【００２３】
逆Ｕ字形のハンガー本体部１００は、外向きにハ字形に弾性変形可能な一対のハンガー片１１０，１１０を備えている。各ハンガー片１１０，１１０の自由端１１０ａとハンガー本体部１００の基端部１００ａの間には、開口部１１０ｂが設けられている。ハンガー片１１０，１１０の各開口部１１０ｂの自由端１１０ａ側には、相対する一対の回動羽根１２０，１２０がそれぞれ回動軸１２１を介して軸支されている。
【００２４】
各回動羽根１２０は、それぞれ左右一対の回動片１２２，１２２を有し、ズボン等の被吊下物の下から上への挿入動作に伴い、図２の点線で示すように、下から上に跳ね上げられる方向に回動し、挿入後の被吊下物の自重による下降動作に伴い、図２の実線で示すように、上から下へ互いに接近する方向に回動して被吊下物の上端を両側から挟み込む形で捕捉するように作動する。
【００２５】
各ハンガー片１１０，１１０の下端１１０ａには、その内側に各回動羽根１２０の回動片１２２，１２２を被吊下物の上端の捕捉角度に保持する下部ストッパー１３０，１３０が設けられている。下部ストッパー１３０は、より具体的には、各回動羽根１２０の回動片１２２，１２２を、水平状態から互いに若干斜め上向きとなる角度（ハンガー片１１０の内面と回動羽根１２０の上面のなす角度が９０度未満で、図示例の場合、４５度〜７５度の範囲）の捕捉姿勢に保持する。なお、各ハンガー片１１０，１１０の下端１１０ａには、各回動羽根１２０の回動片１２２，１２２の跳ね上げ角度（θ）を規制する上部ストッパー１３１，１３１が設けられている。
【００２６】
各回動羽根１２０の回動片１２２の軸受部１２３，１２３間には、回転軸１２４を介して一対の互いに平行かつ水平姿勢の捕捉ローラー１４０，１４０が回転可能に軸支されている。各捕捉ローラー１４０の表面にはスポンジ状の弾性部材１４１が巻回されている。この弾性部材１４１は一対の捕捉ローラー１４０，１４０間に挟まれる被吊下物との間で摩擦力を発生させる。
【００２７】
各捕捉ローラー１４０，１４０とそれぞれの両側の軸受部１２３，１２３との間には、被吊下物の自重による下降動作時に各捕捉ローラー１４０，１４０の回転を不能とする制動力を各捕捉ローラー１４０，１４０に付与する回転制動力付与部材（回転制動力付与手段）１５０が介在されている。回転制動力付与部材１５０は、例えば各捕捉ローラー１４０，１４０とそれぞれの両側の軸受部１２３，１２３との間にスポンジ状の摩擦部材を介在させることで構成することができ、これにより、一対の回動羽根１２０，１２０の挟み込み動作による被吊下物の上端の捕捉を可能とする。
【００２８】
回転制動力付与部材１５０は、被吊下物の自重（例えば１ｋｇ〜２ｋｇ程度）では各捕捉ローラー１４０，１４０の回転を不能とする回転制動力を各捕捉ローラー１４０に付与するが、同回転制動力の程度は、ハンガー本体部１００内の吊下げ状態から両手で、被吊下物の自重を超える加重により被吊下物の上端を強制引き下げ動作する時（例えば３ｋｇ程度を超える力で引き下げる）に、各回動羽根１２０に下向きの力を作用させるとともに、下部ストッパー１３０を介してハンガー本体部１００の各ハンガー片１１０を外向きに弾性変形させて回動羽根１２０，１２０の捕捉状態を緩和し、各捕捉ローラー１４０，１４０の回転を許容する値に設定される。
【００２９】
同回転制動力は、例えば各捕捉ローラー１４０，１４０の両側面と軸受部１２３，１２３との間に介在されるスポンジ状の摩擦部材（回転制動力付与部材）の摩擦力を変更する（例えば材質や部材表面の粗さを変更する）ことにより、適宜調整可能である。
【００３０】
なお、符号１６０は、ハンガー本体部１００の上面中央に設けられた吊下げ用フック部を示す。
【００３１】
次に上記構成のズボン吊りハンガー装置Ｓ１の使用方法および作用について、図３（Ａ）ないし（Ｄ）、図４を参照して説明する。被吊下物としてズボンＷを用いる。
【００３２】
まず、ズボン吊りハンガー装置Ｓ１を洋服掛け等のパイプに吊下げ用フック１６０を介して吊下げる。吊下げた状態では、図３（Ａ）に示すように、回動羽根１２０，１２０は下部ストッパー１３０，１３０により、跳ね上げられる前の姿勢にある。
【００３３】
次に、図３（Ｂ）に示すように、逆Ｕ字形のハンガー本体部１００に対し、ズボンＷの上端、例えば裾を両手で揃えて、ハンガー本体部１００の相対するハンガー片１１０どうしの隙間から上に挿入し、ズボンＷの裾をハンガー本体部１００内に位置させる。このとき、ハンガー片１１０，１１０の下端１１０ａ内側の回動羽根１２０，１２０がズボンＷの裾の下から上への挿入に伴い下から上向きに跳ね上げられるから、スムーズにズボンＷの裾をハンガー本体部１００内に挿入できる。
【００３４】
次に、両手を離しズボンＷの自重によりズボンＷを下降させると、図３（Ｃ）に示すように、前記一対の回動羽根１２０，１２０が下降するズボンＷに合わせて上から下へ回動して先端の捕捉ローラー１４０，１４０がズボンＷの裾を両側から挟み込んで捕捉し、同捕捉姿勢で停止する。
【００３５】
図４を参照して、回動羽根１２０および捕捉ローラー１４０により、ズボンＷの上端が捕捉されるメカニズムを詳述すると、回動羽根１２０が下部ストッパー１３０（図３参照）によりズボンＷの捕捉位置に停止すると、ズボンＷの自重Ｇにより、斜め上向き姿勢の回動羽根１２０，１２０にはハンガー本体部１００のハンガー片１１０，１１０を外側へ開く方向に付勢力が作用し、その反作用で、ハンガー片１１０，１１０から回動羽根１２０，１２０の軸方向に力Ｆが作用する。かかる力Ｆは、両側の捕捉ローラー１４０，１４０におけるズボンＷの両側の接触位置において、ズボンＷに対し、ズボンＷを押し上げる垂直方向分力ＵＦと、ズボンを両側から押し付ける水平方向分力ＶＦが働く。そして、これら両分力ＵＦ，ＶＦの作用により、ズボンＷが両側の捕捉ローラー１４０，１４０により確実に捕捉され、ズボンがハンガー本体部内に確実に吊下げられる。
【００３６】
また、回転制動力付与部材１５０の制動力により、ズボンＷの自重による下降動作時に捕捉ローラー１４０，１４０による捕捉がより確実になされる。
【００３７】
ハンガー本体部１００からズボンＷを外す場合は、回転制動力付与部材１５０の制動力に抗して、図３（Ｄ）に示すように、ハンガー本体部１００からズボンＷを両手で強制的に引下げ動作すればよい。かかる引下げ動作により、下部ストッパー１３０により捕捉姿勢に保持された一対の回動羽根１２０，１２０に下向きの力が作用するとともに、下部ストッパー１３０，１３０を介して各ハンガー片１１０，１１０が、図３（Ｄ）の点線から実線に示すように、外向きに弾性変形させられながら回動羽根１２０，１２０どうしの捕捉状態が緩和されるとともに、ズボンＷの引下げ動作に伴い各捕捉ローラー１４０，１４０が回転して、捕捉ローラー１４０，１４０に挟まれたズボンＷの上端が下方にスムーズに抜き出しされる。
【００３８】
このように、ハンガー本体部１００に対し、ズボンＷの上端を両手で挿入動作する単純動作によりズボンＷの上端をハンガー本体部１００内に吊下げることができる。また、ズボンＷの上端を両手で強制的に引下げ動作する単純動作により、ハンガー片１１０，１１０を外向きに弾性変形させながら、ズボンＷの上端を、回転する捕捉ローラー１４０，１４０の間を通過させて、下方にスムーズに抜き出しすることができる。したがって、ハンガーに手指を触れることなく、ズボンを楽々とハンガーに掛けあるいはハンガーから外すことができる。
【００３９】
図５は本発明に係るハンガー装置の第２実施形態を示すもので、これらの図において符号Ｓ２はズボン吊りハンガー装置を示している。なお、前記実施形態で説明したズボン吊りハンガー装置Ｓ１と同一部材には同一符号を付し、その説明は省略する。
【００４０】
ズボン吊りハンガー装置Ｓ２は、図５（Ａ）に示すように、一対の回動羽根１２０’，１２０’の先端に比較的厚いスポンジ状の弾性部材（捕捉片）１７０がそれぞれ取付けられている。ここで、各回動羽根１２０’は、図１の回動羽根１２０と異なり、一枚の板状部材からなる。また、一対の回動片とその先端部間を接続するコ字状の枠状部材からなってもよい。回動弾性部材１７０は、一対の回動羽根１２０’，１２０’によるズボンＷの上端の捕捉姿勢において、ズボンＷの両側から摩擦力を付与し、これによりズボンＷを確実に捕捉する役目をする。
【００４１】
本実施形態のズボン吊りハンガー装置Ｓ２は、第１実施形態で述べたように、逆Ｕ字形のハンガー本体部１００に対し、ズボンＷの上端を両手で揃えて、ハンガー片１１０，１１０どうしの隙間から上に挿入動作し、ズボンＷの上端をハンガー本体部１００内に位置させる。そして、手を離しズボンＷの自重によりズボンＷを下降させると、各回動羽根１２０’が下降するズボンＷに合わせて下向きに回動し、先端の弾性部材１７０，１７０がズボンＷの上端を両側から挟み込んで捕捉する。
【００４２】
そして、図５（Ｂ）に示すように、ハンガー本体部１００内に吊下げられたズボンＷを両手で強制的に引下げ動作すると、下部ストッパー１３０，１３０により捕捉姿勢に保持された一対の回動羽根１２０’，１２０’に下向きの力が作用するとともに、各ハンガー片１１０が矢印のように外向きに弾性変形して一対の回動羽根１２０’，１２０’が左右に動き、捕捉状態が緩和される。これによりズボンＷの上端を下に抜き出しできる。したがって、ハンガーに手指を触れることなく、ズボンを楽々とハンガーに掛けあるいはハンガーから外すことができる。
【００４３】
なお、図５において、各回動羽根１２０’の上端上面に、相対する回転ローラーを設けてよい。ズボンＷの引下げ動作に合わせて各ハンガー片１１０が外向きに弾性変形して一対の回動羽根１２０’，１２０’の捕捉状態が緩和されると同時に、その上側に設けた回転ローラーがズボンＷを両側から挟み、後は回転ローラーの回転により、ズボンＷをスムーズに引下げ動作することができる。
【００４４】
図６は本発明に係るハンガー装置の第３実施形態を示すもので、これらの図において符号Ｓ３はズボン吊りハンガー装置を示している。なお、前記実施形態で説明したズボン吊りハンガー装置Ｓ１と同一部材には同一符号を付し、その説明は省略する。
【００４５】
ズボン吊りハンガー装置Ｓ３は、一対の回動羽根１２０’，１２０’およびその先端の弾性部材１７０，１７０によるズボンＷの捕捉姿勢から、一方の回動羽根１２０’を跳ね上げ操作し、捕捉状態を解除するための解除操作手段１８０が設けられている。
【００４６】
具体的には、解除操作手段１８０は、一方の回動羽根１２０’の先端に一端が係止された紐部材１８１と、一方の回動羽根１２０’側のハンガー片１１０の外側面のガイド１８２に沿って上方にスライド可能に設けられたスライド部材１８３を有し、前記紐部材１８１の他端はハンガー片１１０に設けられた孔１１０ｃを通してスライド部材１８３に係止されている。スライド部材１８３にはガイド１８２の外面に設けられた長孔１８２ａを介して突出する操作ボタン１８４が設けられている。
【００４７】
本実施形態のズボン吊りハンガー装置Ｓ３によれば、回動羽根１２０’，１２０’によるズボンＷの上端の捕捉姿勢においては、操作ボタン１８４が長孔１８２ａの下端位置にあり、ハンガー本体部１００内に吊下げられたズボンＷの上端を手で持ち、操作ボタン１８４を引き上げ操作すると、紐部材１８１により一方の回動羽根１２０’が跳ね上げられ、ズボンＷの捕捉姿勢が解除される。その結果、ズボンＷの捕捉状態をワンタッチで解除し、ズボンＷを自重によりあるいは手で引き下げてハンガー本体部１００から容易に取り外すことができる。
【００４８】
かくして、本発明に係るハンガー装置を用いることにより、ズボンを楽々とハンガーに掛けあるいはハンガーから外すことができる。
【００４９】
なお、本発明に係るハンガー装置は、被吊下物としてはスラックス、男子制服等のズボンが好適であるが、これに限られない。例えば、スカートなどの衣服の他、ホテルの室内で使用後のタオルやバスタオルを吊下げたり、複数のハンガー装置を用いて大型のシーツを干したり、各種洗濯物を干すことが可能である。また、業務クリーニング用にも適用可能である。
【産業上の利用可能性】
【００５０】
本発明に係るハンガー装置は、ズボン、スカート等の衣服の他、タオル、シーツ類その他の被吊下物を楽に吊下げあるいは取り外すハンガー装置として幅広く利用可能である。
【図面の簡単な説明】
【００５１】
【図１】本発明の第１実施形態を示すズボン吊りハンガー装置の全体斜視図、
【図２】図１に示すズボン吊りハンガー装置の側面図、
【図３】（Ａ）ないし（Ｄ）は図１に示すズボン吊りハンガー装置の使用手順および作用を示す説明図、
【図４】回動羽根および捕捉ローラーがズボンを捕捉するメカニズムを示す説明図、
【図５】本発明の第２実施形態を示すズボン吊りハンガー装置の説明図で、（Ａ）は同装置の側面図、（Ｂ）はその作用を示す説明図、
【図６】本発明の第３実施形態を示すズボン吊りハンガー装置の作用を示す説明図である。
【符号の説明】
【００５２】
１００  ハンガー本体部
１００ａ  基端部
１１０  ハンガー片
１１０ａ，１２０ａ  自由端
１１０ｂ  開口部
１２０  回動羽根
１２１  回動軸
１２２  回動片
１２３  軸受部
１２４  回転軸
１３０  下部ストッパー
１３１  上部ストッパー
１４０  回転ローラー
１４１  弾性部材
１５０  回転制動力付与部材（回転制動力付与手段）
１６０  吊下げ用フック
Ｓ１，Ｓ２，Ｓ３  ズボン吊りハンガー装置
Ｗ  ズボン
【図１】
0005167376.tif 000002
【図２】
0005167376.tif 000003
【図３】
0005167376.tif 000004
【図４】
0005167376.tif 000005
【図５】
0005167376.tif 000006
【図６】
0005167376.tif 000007